(57)【特許請求の範囲】
【請求項１】
経路誘導案内データを発生するナビゲーションユニットと、オーディオ系情報を表示する小型表示部を備えた小型表示ユニットと、前記ナビゲーションユニット及び小型表示ユニットに対して、インタフェースを介して通信ケーブルにより接続されたメインユニットと、
前記メインユニットに通信ケーブルを介して接続され、前記経路誘導案内データに基づく経路誘導案内情報を表示する大型表示部を備えた大型表示ユニットとを備え、
前記メインユニットは、
前記小型表示ユニット及び前記大型表示ユニットの状況を認識する認識手段と、
この認識手段が小型表示ユニットの表示可能な状況を認識すると、ナビゲーションユニットからの経路誘導案内データを受信したか否かを判定し、この経路誘導案内データを受信すると、この受信した経路誘導案内データに基づく経路誘導案内情報を小型表示部に割り込み表示させ、且つ、前記認識手段にて大型表示ユニットが表示不可能な状況を認識すると、ナビゲーションユニットからの経路誘導案内データを受信したか否かを判定し、この経路誘導案内データを受信し、この受信した経路誘導案内データに基づく経路誘導案内情報を小型表示部に割り込み表示させる制御手段とを有することを特徴とする表示制御システム。
【請求項２】
前記メインユニットは、オーディオ／ビジュアル機器であることを特徴とする請求項１記載の表示制御システム。
【請求項３】
前記小型表示ユニットは、前記メインユニットに内蔵されていることを特徴とする請求項１又は２記載の表示制御システム。
【請求項４】
経路誘導案内データを発生するナビゲーションユニットと、オーディオ系情報を表示する小型表示部を備えた小型表示ユニットと、前記経路誘導案内データに基づく経路誘導案内情報を表示する大型表示部を備えた大型表示ユニットと、これら小型表示ユニット、大型表示ユニット及びナビゲーションユニットに対して、インタフェースを介して通信ケーブルにより接続されたメインユニットとを有する表示制御システムであって、
前記メインユニットは、
前記大型表示ユニットの状況を認識する認識手段と、
この認識手段が大型表示ユニットの表示不可能な状況を認識すると、ナビゲーションユニットからの経路誘導案内データを受信したか否かを判定し、この経路誘導案内データを受信すると、この受信した経路誘導案内データに基づく経路誘導案内情報を、前記小型表示部に現在表示中のオーディオ系情報の代わりに、この小型表示部に割り込み表示させる制御手段とを有することを特徴とする表示制御システム。
【請求項５】
経路誘導案内データを発生するナビゲーションユニットと、このナビゲーションユニットに対してインタフェースを介して、通信ケーブルにより接続すると共に、オーディオ系情報を表示する小型表示部を備えた小型表示ユニット及び、前記経路誘導案内データに基づく経路誘導案内情報を表示する大型表示部を備えた大型表示ユニットで構成する表示ユニットを備えたメインユニットとを有する表示制御システムであって、
前記メインユニットは、
前記表示ユニットの状況を認識する認識手段と、
この認識手段が大型表示ユニットの表示不可能な状況を認識すると、ナビゲーションユニットからの経路誘導案内データを受信したか否かを判定し、この経路誘導案内データを受信すると、この受信した経路誘導案内データに基づく経路誘導案内情報を、前記小型表示部に現在表示中のオーディオ系情報の代わりに、この小型表示部に割り込み表示させる制御手段とを有することを特徴とする表示制御システム。
【発明の詳細な説明】
【０００１】
【発明の属する技術分野】
本発明は、オーディオ系情報を表示する小型表示部を備えた小型表示ユニット及びビジュアル系情報を表示する大型表示部を備えた大型表示ユニットの内、少なくとも小型表示部を備えるオーディオ・ビジュアル・システムの表示制御システムに関し、さらに詳しくは、オーディオ系情報を表示する小型表示部を利用してナビゲーション情報（経路誘導案内情報）の表示を可能にした表示制御システムに関する。
【０００２】
【従来の技術】
従来、自動車等の車両に搭載されるオーディオ・ビジュアル・システム及びナビゲーションシステムにおいて、ナビゲーション情報を表示する方式としては、図１３に示すように、５インチ程度の大型液晶表示器６１を設け、この大型液晶表示器６１には、オーディオまたはビジュアルの作動状態を文字表示する小型の液晶表示部６２１を有するオーディオ／ビジュアル機器６２及びナビゲーション機器６３を別々の信号線６４、６５を介して接続し、大型液晶表示器６１に設けた選択ボタンを操作してナビゲーション表示を選択したときは、ナビゲーション機器６３のＧＰＳ受信機から得られる位置情報とＣＤ−ＲＯＭから読み出された地図データに基づいて自車の現在位置と周辺地図情報を大型液晶表示器６１に表示する。
【０００３】
また、ビジュアル表示を選択したときは、オーディオ／ビジュアル機器６２で受信されたＴＶ放送またはオーディオ／ビジュアル機器６２で再生されるビデオ映像を大型液晶表示器６１に表示するようにしている。
【０００４】
図１４は、大型液晶表示器がないシステム、または収納タイプの大型液晶表示パネルを有し、この液晶表示パネルが収納された状態にある時、ナビゲーションの動作状態をオーディオ／ビジュアル機器の表示部に表示するようした従来のオーディオ／ビジュアルシステムの概略構成を示す説明図である。
【０００５】
この図１４においては、オーディオ／ビジュアル機器６２とナビゲーション機器６３間を信号線６６により接続し、ナビゲーション機器６３が動作状態にあるとき、オーディオ／ビジュアル機器６２の小型液晶表示部６２１に「ＮＡＶＩＧＡＴＩＯＮ」等の文字を表示する。
【０００６】
【発明が解決しようとする課題】
しかしながら、上記のようなナビゲーション情報等の経路誘導案内情報を大型液晶表示器に表示する方式では、大型液晶表示器がないと地図等の詳細画面を表示することができず、ナビゲーション機能を充分に発揮することができないという問題がある。
【０００７】
また、オーディオ／ビジュアル機器の小型液晶表示部を利用する方式では、ナビゲーション機器が動作状態にあるか否かの表示しかできず、そのため、経路誘導などを音声でしかできなかった。
【０００８】
本発明は、上記問題点に鑑みてなされたものであり、ナビゲーション情報（経路誘導案内情報）を表示する大型表示部がない場合、あるいは収納タイプの大型表示部が収納状態にあっても、ナビゲーション情報をシステムの小型表示部を利用して自動的にかつ簡易に割り込み表示させることができる表示制御システムを提供することを目的とする。
【０００９】
【課題を解決するための手段】
上記目的を達成するために本発明における請求項１記載の表示制御システムは、経路誘導案内データを発生するナビゲーションユニットと、オーディオ系情報を表示する小型表示部を備えた小型表示ユニットと、前記ナビゲーションユニット及び小型表示ユニットに対して、インタフェースを介して通信ケーブルにより接続されたメインユニットと、前記メインユニットに通信ケーブルを介して接続され、前記経路誘導案内データに基づく経路誘導案内情報を表示する大型表示部を備えた大型表示ユニットとを備え、前記メインユニットは、前記小型表示ユニット及び前記大型表示ユニットの状況を認識する認識手段と、この認識手段が小型表示ユニットの表示可能な状況を認識すると、ナビゲーションユニットからの経路誘導案内データを受信したか否かを判定し、この経路誘導案内データを受信すると、この受信した経路誘導案内データに基づく経路誘導案内情報を小型表示部に割り込み表示させ、且つ、前記認識手段にて大型表示ユニットが表示不可能な状況を認識すると、ナビゲーションユニットからの経路誘導案内データを受信したか否かを判定し、この経路誘導案内データを受信し、この受信した経路誘導案内データに基づく経路誘導案内情報を小型表示部に割り込み表示させる制御手段とを有することを特徴とする。
【００１０】
従って、本発明における請求項１記載の表示制御システムによれば、経路誘導案内情報を表示する大型表示部がなくても、ナビゲーションユニットからの経路誘導案内データに基づく経路誘導案内情報を、小型表示ユニットの小型表示部を利用して自動的に割り込み表示させることで、ユーザーは視覚を通じて経路誘導案内情報を認識することができる。
【００１２】
また、本発明における請求項１記載の表示制御システムによれば、大型表示ユニットが表示不可能な状況、例えば大型表示ユニットが電源オフ状態や、大型表示ユニットが収納状態であっても、表示可能な状況、例えば電源オン状況にある小型表示ユニットの小型表示部を利用して、自動的に経路誘導案内情報を割り込み表示させることで、ユーザーは視覚を通じて経路誘導案内情報を認識することができる。
【００１３】
本発明における請求項２記載の表示制御システムは、上記請求項１記載の構成に加えて、前記メインユニットは、オーディオ／ビジュアル機器であることを特徴とする。
【００１４】
従って、本発明における請求項２記載の表示制御システムによれば、上記請求項１記載の効果に加えて、オーディオ／ビジュアル機器を利用してメインユニットを構成することができる。
【００１５】
本発明における請求項３記載の表示制御システムは、上記請求項１又は２記載の構成に加えて、前記小型表示ユニットは、前記メインユニットに内蔵されていることを特徴とする。
【００１６】
従って、本発明における請求項３記載の表示制御システムによれば、上記請求項１又は２記載の効果に加えて、メインユニットに内蔵した小型表示ユニットを利用して、経路誘導案内情報を表示することができる。
【００１７】
本発明における請求項４記載の表示制御システムは、経路誘導案内データを発生するナビゲーションユニットと、オーディオ系情報を表示する小型表示部を備えた小型表示ユニットと、前記経路誘導案内データに基づく経路誘導案内情報を表示する大型表示部を備えた大型表示ユニットと、これら小型表示ユニット、大型表示ユニット及び、ナビゲーションユニットに対して、インタフェースを介して通信ケーブルにより接続されたメインユニットとを有する表示制御システムであって、前記メインユニットは、前記大型表示ユニットの状況を認識する認識手段と、この認識手段が大型表示ユニットの表示不可能な状況を認識すると、ナビゲーションユニットからの経路誘導案内データを受信したか否かを判定し、この経路誘導案内データを受信すると、この受信した経路誘導案内データに基づく経路誘導案内情報を、前記小型表示部に現在表示中のオーディオ系情報の代わりに、この小型表示部に割り込み表示させる制御手段とを有することを特徴とする。
【００１８】
従って、本発明における請求項４記載の表示制御システムによれば、大型表示ユニットが表示不可能な状況、例えば大型表示ユニットが電源オフ状態であっても、通常のオーディオ系情報を表示中の小型表示ユニットの小型表示部を利用して、この表示中のオーディオ系情報の代わりに、自動的に経路誘導案内情報を割り込み表示させることで、ユーザーは視覚を通じて経路誘導案内情報を認識することができる。
【００１９】
本発明における請求項５記載の表示制御システムは、経路誘導案内データを発生するナビゲーションユニットと、このナビゲーションユニットに対してインタフェースを介して、通信ケーブルにより接続すると共に、オーディオ系情報を表示する小型表示部を備えた小型表示ユニット及び、前記経路誘導案内データに基づく経路誘導案内情報を表示する大型表示部を備えた大型表示ユニットを表示ユニットで構成する表示ユニットを備えたメインユニットとを有する表示制御システムであって、前記メインユニットは、前記表示ユニットの状況を認識する認識手段と、この認識手段が大型表示ユニットの表示不可能な状況を認識すると、ナビゲーションユニットからの経路誘導案内データを受信したか否かを判定し、この経路誘導案内データを受信すると、この受信した経路誘導案内データに基づく経路誘導案内情報を、前記小型表示部にて表示中のオーディオ系情報の代わりに、この小型表示部に割り込み表示させる制御手段とを有することを特徴とする。
【００２０】
従って、本発明における請求項５記載の表示制御システムによれば、大型表示ユニットが表示不可能な状況、例えば大型表示ユニットが収納状態であっても、通常のオーディオ系情報を表示中の小型表示ユニットの小型表示部を利用して、この表示中のオーディオ系情報の代わりに、自動的に経路誘導案内情報を割り込み表示させることで、ユーザーは視覚を通じて経路誘導案内情報を認識することができる。
【００２１】
【発明の実施の形態】
以下、本発明の表示制御システムにおける実施の形態を示すオーディオ・ビジュアル・システムについて図面を参照して説明する。
【００２２】
（第１の実施の形態）
図１は本発明の表示制御システムを適用したオーディオ・ビジュアル・システムの概略構成を示す説明図である。
【００２３】
同図において、１はオーディオ／ビジュアルシステム全体の状態を監視し管理する機能を備えたメインユニットであり、このメインユニット１には、管理対象となるナビゲーションユニット２、独立構成の大型表示ユニット３及び小型表示ユニット４、または大型表示部と小型表示部とを組み込んだ表示ユニット等が通信ケーブル５を介して接続されている。
【００２４】
ここで、大型表示ユニット３は、４インチ以上の液晶表示器から構成されるもので、ナビゲーション動作時の地図表示及び自車の現在位置表示等の経路誘導案内情報表示を行うと共に、ＴＶ放送またはビデオ映像等のビジュアル系情報を表示するのに使用される。
【００２５】
また、小型表示ユニット４は、大型表示ユニット３に対して独立した１ＤＩＮ等の通常のオーディオ系情報を表示するもので、大型表示ユニット３が動作していても、その表示には干渉しないユニットである。
【００２６】
前記表示ユニット１００は、後述する図６乃至図８に示すように、例えば１ＤＩＮ等の一つのユニットで大型表示部１１１を備えた大型表示ユニット１１０と小型表示部１２１を備えた小型表示ユニット１２０とで構成し、前面１ＤＩＮ幅程度の、小さなオーディオ系情報を表示する小型表示部１２１が前面位置にあるとき、その内側に５インチ等の大型表示部１１１を備えた大型表示ユニット１１０が収納されており、この大型表示ユニット１１０を前方にスライドさせて上方に回動させたときに、図８（ｃ）に示すように大型表示ユニット１１０の大型表示部１１１が前面に出現される構造としている。
【００２７】
図２はメインユニット１とナビゲーションユニット２との接続関係及びその内部構成を示すブロック図である。
【００２８】
図２に示すメインユニット１には、前記ナビゲーションユニット２及び大型表示ユニット３と接続した通信ケーブル５と通信接続する入出力インタフェース１４と、通常のオーディオ系情報を表示する小型表示部１３を備えた小型表示ユニット４と、様々な制御プログラムを記憶したメモリ（ＭＥＭ）１２と、このメインユニット１全体を制御するＣＰＵ１１とを有している。
【００２９】
前記小型表示ユニット４は、通常、オーディオ系情報を表示する小型表示部１３と、この小型表示部１３を駆動制御する表示ドライバ１５とを有している。
【００３０】
ＣＰＵ１１は、メインユニット１全体を管理制御すると共に、独立構成の大型表示ユニット３及び小型表示ユニット４、又は表示ユニット１００の状態を認識する処理機能、ナビゲーションユニット２からの経路誘導案内情報を表示する、独立構成の大型表示ユニット３の大型表示部がない時や、表示ユニット１００の大型表示部１１１が収納状態にある時に経路誘導案内情報を小型表示ユニット４の小型表示部１３、又は表示ユニット１００の小型表示ユニット１２０の小型表示部１２１に表示させる処理機能を備える。
【００３１】
また、メモリ１２は、ＣＰＵ１１で処理されたデータを記憶すると共に、独立した大型表示ユニット３及び小型表示ユニット４、又は表示ユニット１００の状態認識処理プログラム、経路誘導案内情報を小型表示ユニット４の小型表示部１３、又は小型表示ユニット１２０の小型表示部１２１に割込み表示させる表示処理プログラム、及び管理対象との通信プログラム等を格納する構成になっている。
【００３２】
ナビゲーションユニット２は、前記通信ケーブル５と通信接続する入出力インタフェース２３と、様々なデータ・プログラム等を記憶するメモリ（ＭＥＭ）２２と、このナビゲーションユニット２全体を制御するＣＰＵ２１とを有している。
【００３３】
このＣＰＵ２１は、ナビゲーションユニット２全体を管理制御すると共に、経路誘導案内情報を独立構成の大型表示ユニット３の大型表示部、又は表示ユニット１００の大型表示ユニット１１０にある大型表示部１１１に表示させる処理機能、大型表示ユニット３の大型表示部又は大型表示ユニット１１０の大型表示部１１１に経路誘導案内情報を表示できない時にメインユニット１からの表示要求に伴い経路誘導案内情報をメインユニット１に送信する通信処理機能等を備える。
【００３４】
また、メモリ２２は、ＣＰＵ２１で処理されたデータを記憶すると共に、経路誘導案内情報を独立構成の大型表示ユニット４の大型表示部、又は表示ユニット１００の大型表示ユニット１１０にある大型表示部１１１に表示させる処理プログラムや、経路誘導案内データのメインユニット１への送信処理プログラム等を格納する構成になっている。
【００３５】
前記メインユニット１のＣＰＵ１１及びメモリ１２は、請求項における認識手段及び制御手段をそれぞれ構成する。
【００３６】
次に、上記オーディオ・ビジュアル・システムの動作について説明する。図３はメインユニット１の処理動作を示すフローチャートである。
【００３７】
図３においてメインユニット１が動作を開始すると、まず、メインユニット１全体のシステムのチェックが終了したか否かをＣＰＵ１１で判定する（ステップＳ１）。
【００３８】
システムチェックが終了した場合は、このメインユニット１に対して、独立構成の小型表示ユニット４、又は表示ユニット１００の小型表示ユニット１２０しか接続されていないか否かを判定する（ステップＳ２）。
【００３９】
このメインユニット１に対して、独立構成の小型表示ユニット４、又は表示ユニット１００の小型表示ユニット１２０の他に接続されているのであれば、独立構成の大型表示ユニット３が接続されているのか否かを判定する（ステップＳ３）。尚、ステップＳ３にて独立構成の大型表示ユニット３のみを対象として接続判断を行うようにしたのは、ステップＳ２にて独立構成の小型表示ユニット４の他に接続がある場合を想定したためであり、ステップＳ２にて表示ユニット１００の小型表示ユニット１２０と判断された場合には、当然、大型表示ユニット１１０は表示ユニット１００の一部であるため、メインユニット１に接続されているものと判断することができるからである。
【００４０】
ステップＳ３にて独立構成の大型表示ユニット３が接続されているのであれば、大型表示ユニット３の大型表示部、又は大型表示ユニット１１０の大型表示部１１１がオフ状態、例えば表示不可能状態であるか否かを判定する（ステップS４）。
【００４１】
大型表示ユニット３の大型表示部、又は大型表示ユニット１１０の大型表示部１１１がオフ状態であれば、ナビゲーションユニット２に対して経路誘導案内情報を要求する要求データを送信し（ステップＳ５）、ナビゲーションユニット２から経路誘導案内情報に関わる情報データを受信したか否かを判定する（ステップＳ６）。
【００４２】
このナビゲーションユニット２から経路誘導案内情報に係る情報データを受信したのであれば、ナビゲーションユニット２から経路誘導案内情報に係る表示データを受信したか否かを判定する（ステップＳ７）。
【００４３】
ナビゲーションユニット２から経路誘導案内情報に係る表示データを受信したのであれば、小型表示ユニット４の小型表示部１３、又は表示ユニット１００の小型表示ユニット１２０にある小型表示部１２１に表示中のオーディオ系情報を停止して（ステップＳ８）、このオーディオ系情報の代わりに、前記ナビゲーションユニット２から受信した表示データに基づく経路誘導案内情報を図４に示すように小型表示ユニット４の小型表示部１３、又は小型表示ユニット１２０の小型表示部１２１に割込み表示させる（ステップＳ９）。
【００４４】
この小型表示ユニット４の小型表示部１３、又は小型表示ユニット１２０の小型表示部１２１には、図４に示すように例えば自車の誘導経路における交差点名、交差点までの残りの距離、方向指示用矢印等が割込み表示される。
【００４５】
ステップＳ９の処理後、ナビゲーションユニット２から経路誘導案内終了に関わる情報データを受信したか否かを判定する（ステップS１０）。
【００４６】
この経路誘導案内終了に関わる情報データを受信したのであれば、この小型表示部１３又は小型表示部１２１に表示中の経路誘導案内情報に代えて、オーディオ系情報を表示し（ステップＳ１１）、この処理動作を終了する。つまり、経路誘導案内終了に関わる情報データを受信するまで、小型表示部１３又は小型表示部１２１にはオーディオ系情報の代わりに経路誘導案内情報を表示するものである。
【００４７】
また、ステップＳ３にて独立構成の大型表示ユニット３がメインユニット１に接続されていなければ、小型表示ユニット４又は小型表示ユニット１２０に経路誘導案内情報を表示させるようにステップＳ５以降の処理動作に移行する。
【００４８】
また、ステップＳ４にて大型表示ユニット３又は大型表示ユニット１１０がオフ状態でなければ、通常の通り、経路誘導案内情報を大型表示部に表示させることで当該処理動作を終了する。
【００４９】
では、次にナビゲーションユニット２の処理動作について説明する。図５はナビゲーションユニット２の処理動作を示すフローチャートである。
【００５０】
ナビゲーションユニット２においては、ナビゲーションユニット２全体のシステムのチェックが終了したか否かをＣＰＵ２１で判定する（ステップＳ２１）。システムチェックが終了した場合には、どのような表示用ユニットがナビゲーションユニット２に接続されているかを認識する（ステップＳ２２）。
【００５１】
次いで、ナビゲーションユニット２は、接続を認識した表示用ユニットから経路誘導表示要求データを受信する（ステップＳ２３）。尚、この表示用ユニットは、このナビゲーションユニット２と通信ケーブル５を介して接続する、独立構成の大型表示ユニット３及び小型表示ユニット４、及び大型表示ユニット１１０及び小型表示ユニット１２０を組み込んだ表示ユニット１００を総称したものである。
【００５２】
ステップＳ２３にて経路誘導表示要求データを受信すると、ナビゲーションユニット２に経路誘導案内に関わる情報データが発生したか否かを判定し、この判定処理を経路誘導案内が発生するまで繰り返し実行する（ステップＳ２４）。
【００５３】
経路誘導案内に関わる情報データが発生した場合は経路誘導案内中の情報データを要求先の表示用ユニットに送出する（ステップＳ２５）。その後、経路誘導表示データを要求先の表示用ユニットに送出する（ステップＳ２６）。
【００５４】
次いで、ナビゲーションユニット２は、経路誘導案内終了に関わる情報データが発生したか否かを判定し、この判定処理を経路誘導案内終了に関わる情報データが発生するまで繰り返し実行する（ステップＳ２７）。
【００５５】
そして、経路誘導案内の終了に関わる情報データが発生した場合は、経路誘導案内終了の情報データを要求先の表示用ユニットに送出し（ステップＳ２８）、その旨を表示用ユニットに表示させる。
【００５６】
従って、第１の実施の形態によれば、経路誘導案内情報を表示する大型表示部１１１を備えた大型表示ユニット１１０、又は独立構成の大型表示ユニット３が表示不可能状態にあっても、メインユニット１に接続される小型表示ユニット１２０の小型表示部１２１、又は小型表示ユニット４の小型表示部１３を利用して、現在表示中のオーディオ系情報の代わりに、ナビゲーションユニット２から発生する経路誘導案内情報を自動的に、かつ簡易的に表示することができる。これにより、ナビゲーションを有効に活用できると共に、ユーザーは視覚を通じて経路誘導案内情報を認識することができる。
【００５７】
尚、上記第１の実施の形態においては、このような独立構成の大型表示ユニット３及び小型表示ユニット４で構成するオーディオ・ビジュアル・システムと、大型表示ユニット１１０及び小型表示ユニット１２０を組み込んだ表示ユニット１００で構成するオーディオ・ビジュアル・システムを例に掲げて説明してきたが、ここで、これら独立構成の大型表示ユニット３及び小型表示ユニット４で構成する場合と、大型表示ユニット１１０及び小型表示ユニット１２０を組み込んだ表示ユニット１００で構成する場合とを夫々詳細に説明する。
【００５８】
（第２の実施の形態）
では、ここで大型表示ユニット１１０と小型表示ユニット１２０とを組み込んだ表示ユニット１００を内蔵した表示ユニット内蔵型メインユニット１Ａと、ナビゲーションユニット２とで構成するオーディオ・ビジュアル・システムについて詳細に説明する。
【００５９】
このような大型表示ユニット１１０と小型表示ユニット１２０とを組み込んだ表示ユニット１００としては、図６、図７及び図８に示すように表示ユニット内蔵型メインユニット１Ａが一例としてあげられる。図６は表示ユニット内蔵型メインユニット１Ａの概略構成を示す斜視図、図７及び図８は表示ユニット内蔵型メインユニット１Ａの構成動作を示す説明図である。
【００６０】
図６に示す表示ユニット内蔵型メインユニット１Ａとしては、大型表示部１１１を備えた大型表示ユニット１１０及び小型表示部１２１を備えた小型表示ユニット１２１を組み込んで構成する表示ユニット１００をメインユニット本体内部に内蔵して構成する。
【００６１】
前記大型表示ユニット１１０は、メインユニット本体に収納可能に保持され、この大型表示ユニット１１０本体を前方にスライドさせた後、それを上方に回動させると、経路誘導案内情報等のビジュアル系情報を表示する大型表示部１１１が機器前面に現れる構成としている。
【００６２】
また、前記小型表示ユニット１２０は、機器前面に回動可能に保持され、前記大型表示ユニット１１０の移動に応じて、この小型表示ユニット１２０本体が下方に傾斜するような回動構成としているが、このように傾斜したとしても、ユーザーはオーディオ系情報等を表示する小型表示部１２１から、その表示内容を目視することができる。
【００６３】
このように構成された表示ユニット内蔵型メインユニット１Ａが図７及び図８に示すような、いずれの動作状態においても、小型表示ユニット１２０の小型表示部１２１は表示可能な状態としている。
【００６４】
これに対し、図７及び図８（ａ），（ｂ）に示す動作状態において、大型表示ユニット１１０は収納状態、即ち、大型表示ユニット１１０の大型表示部１１１は表示不可能な状態とされ、図８（ｃ）に示す状態にあって、初めて大型表示ユニット１１０の大型表示部１１１は表示可能状態となる。
【００６５】
このように大型表示ユニット１１０の大型表示部１１１が表示可能状態となった場合には、ナビゲーションユニット２からの経路誘導案内データを受信すると、この経路誘導案内データに基づいて経路誘導案内情報を大型表示部１１１に表示することとなる。
【００６６】
図９は表示ユニット内蔵型メインユニット１Ａ及び、このメインユニット１Ａに接続するナビゲーションユニット２内部の概略構成を示すブロック図である。
【００６７】
図９に示す表示ユニット内蔵型メインユニット１Ａは、前記ナビゲーションユニット２と接続した通信ケーブル５と通信接続する入出力インタフェース１４Ａと、通常のオーディオ系情報を表示する小型表示部１２１を備えた小型表示ユニット１２０及びビジュアル系情報を表示する大型表示部１１１を備えた大型表示ユニット１１０で構成する表示ユニット１００と、様々な制御プログラムを記憶したメモリ（ＭＥＭ）１２Ａと、このメインユニット１Ａ全体を制御するＣＰＵ１１Ａとを有している。
【００６８】
ＣＰＵ１１Ａは、入出力インタフェース１４Ａを介して通信ケーブル５と接続することで、この通信ケーブル５を介してナビゲーションユニット２からの経路誘導案内データ等の送受を行いながら、このメインユニット１Ａ全体を管理制御すると共に、前記表示ユニット１００の状態を認識する処理機能、経路誘導案内情報を表示する大型表示部１１１を備えた大型表示ユニット１１０が収納状態にあるときには、この経路誘導案内情報を小型表示ユニット１２０の小型表示部１２１に表示させる処理機能を備えている。
【００６９】
また、メモリ１２Ａは、ＣＰＵ１１Ａで処理されたデータを記憶すると共に、表示ユニット１００の状態認識処理プログラムや経路誘導案内情報の小型表示部１２１への表示処理プログラム及び管理対象との通信プログラム等を格納する構成としている。
【００７０】
前記表示ユニット１００は、前述したように小型表示ユニット１２０及び大型表示ユニット１１０で構成されており、前記小型表示ユニット１２０は、通常、オーディオ系情報を表示する小型表示部１２１と、この小型表示部１２１を表示制御する表示ドライバ１２２とを有し、前記大型表示ユニット１１０は、経路誘導案内情報を表示する大型表示部１１１と、この大型表示部１１１を表示制御する表示ドライバ１１２とを有している。
【００７１】
尚、前記ナビゲーションユニット２は、図２に示すナビゲーションユニット２とほぼ同一の構成及び動作を有しているので、その構成については同一符号を付すと共に、その構成及び動作の説明については省略する。
【００７２】
では、次に本実施の形態に示す表示ユニット内蔵型メインユニット１Ａの動作について説明する。図９は表示ユニット内蔵型メインユニット１Ａ側の処理動作を示すフローチャートである。
【００７３】
図９に示すように表示ユニット内蔵型メインユニット１Ａの動作が開始すると、表示ユニット内蔵型メインユニット１Ａ全体のシステムのチェックが終了したか否かをＣＰＵ１１Ａで判定する(ステップＳ３１)。
【００７４】
このシステムチェックが終了すると、このメインユニット１Ａに内蔵された表示ユニット１００の大型表示ユニット１１０の大型表示部１１１が表示不可能状態であるか否かを判定する（ステップＳ３２）。尚、この大型表示部１１１が表示不可能状態とは、例えば図７、及び図８（ｂ）、（ｃ）に示すような状態をいう。
【００７５】
大型表示部１１１が表示不可能状態であれば、ナビゲーションユニット２へ経路誘導案内表示要求データを送信し（ステップＳ３３）、このナビゲーションユニット２から経路誘導案内の情報データを受信したか否かを判定する(ステップＳ３４)。
【００７６】
このナビゲーションユニット２からの経路誘導案内の情報データを受信したのであれば、ナビゲーションユニット２からの経路誘導案内に関わる表示データを受信したか否かを判定する(ステップＳ３５)。
【００７７】
このナビゲーションユニット２からの経路誘導案内に関わる表示データを受信したのであれば、この小型表示部１２１に表示中のオーディオ系情報の代わりに、前記小型表示ユニット１２０の表示ドライバ１２２を介して、この受信中の経路誘導案内に関わる表示データに基づいて経路誘導案内情報を小型表示部１２１に割り込み表示させる（ステップＳ３６）。
【００７８】
さらに、ナビゲーションユニット２から経路誘導案内を終了する情報データを受信したか否かを判定する（ステップＳ３７）。この経路誘導案内終了に関わる情報データを受信したのであれば、前記小型表示部１２１に表示中の経路誘導案内情報の代わりにオーディオ系情報を再び小型表示部１２１に表示させ（ステップＳ３８）、このメインユニット１Ａの処理動作を終了する。
【００７９】
従って、このような第２の実施の形態に示す表示ユニット内蔵型メインユニット１Ａを採用したオーディオ・ビジュアル・システムによれば、大型表示ユニット１１０が表示不可能な状況、例えば大型表示ユニット１１０が収納状態であっても、通常のオーディオ系情報を表示中の小型表示ユニット１２０の小型表示部１２１を利用して、この表示中のオーディオ系情報の代わりに、自動的に経路誘導案内情報を割り込み表示させることができる。
【００８０】
（第３の実施の形態）
では、次に独立型の大型表示ユニット３Ｂと、小型表示ユニット４Ｂを内蔵した小型表示ユニット内蔵型メインユニット１Ｂと、ナビゲーションユニット２で構成するオーディオ・ビジュアル・システムについて説明する。図１１は第３の実施の形態を示すオーディオ・ビジュアル・システム内部の概略構成を示すブロック図である。
【００８１】
図１１に示すオーディオ・ビジュアル・システムは、経路誘導案内データを発生するナビゲーションユニット２と、この経路誘導案内データに基づいて経路誘導案内情報を表示させる大型表示部３１を備えた大型表示ユニット３Ｂと、このオーディオ・ビジュアル・システム全体を制御すると共に、通常のオーディオ系情報を表示する小型表示ユニット４Ｂを備えたメインユニット１Ｂと、これらナビゲーションユニット２、大型表示ユニット３Ｂ及びメインユニット１Ｂを通信接続する通信ケーブル５とを有する。
【００８２】
尚、前記ナビゲーションユニット２は、図２に示すナビゲーションユニット２とほぼ同一の構成及び動作を有しているので、その構成について同一符号を付すとともに、その構成及び動作の説明については省略する。
【００８３】
前記大型表示ユニット３Ｂは、前記ナビゲーションユニット２から得られた経路誘導案内データ等を記憶するメモリ３２Ｂと、前記通信ケーブル５と接続するインタフェース３３Ｂと、このメモリ３２Ｂに記憶中の経路誘導案内データに基づいて経路誘導案内情報を表示させる大型表示部３１Ｂと、この大型表示部３１Ｂを駆動制御する表示ドライバ３４Ｂと、この大型表示ユニット３Ｂ全体を制御するＣＰＵ３５Ｂとを有している。
【００８４】
前記メインユニット１Ｂは、通常のオーディオ系情報を表示する小型表示部４１Ｂ及び、この小型表示部４１Ｂを駆動制御する表示ドライバ４２Ｂで構成する小型表示ユニット４Ｂと、通信ケーブル５と接続する入出力インタフェース１４Ｂと、様々な処理プログラム及び処理データを記憶するメモリ１２Ｂと、このメインユニット１Ｂ全体を制御するＣＰＵ１１Ｂとを有している。
【００８５】
では、このようなオーディオ・ビジュアル・システムの動作について説明する。図１２は同実施の形態における小型表示ユニット内蔵型メインユニット１Ｂ側の処理動作を示すフローチャートである。
【００８６】
図１２に示すように小型表示ユニット内蔵型メインユニット１Ｂの動作が開始すると、小型表示ユニット内蔵型メインユニット１Ｂ全体のシステムのチェックが終了したか否かをＣＰＵ１１Ｂで判定する(ステップＳ４１)。
【００８７】
このシステムチェックが終了すると、この小型表示ユニット内蔵型メインユニット１Ｂに内蔵された小型表示ユニット４Ｂのみしか接続されていないか否かを判定する（ステップＳ４２）。
【００８８】
小型表示ユニット４Ｂの他に接続されているのであれば、その接続は大型表示ユニット３Ｂであるか否かを判定する（ステップＳ４３）。大型表示ユニット３Ｂが接続されているのであれば、この大型表示ユニット３Ｂは表示不可能状態であるか否かを判定する（ステップＳ４４）。
【００８９】
この大型表示ユニット３Ｂが表示不可能状態であれば、ナビゲーションユニット２へ経路誘導案内表示要求データを送信し（ステップＳ４５）、このナビゲーションユニット２から経路誘導案内の情報データを受信したか否かを判定する(ステップＳ４６)。
【００９０】
このナビゲーションユニット２からの経路誘導案内の情報データを受信したのであれば、ナビゲーションユニット２からの経路誘導案内に関わる表示データを受信したか否かを判定する(ステップＳ４７)。
【００９１】
このナビゲーションユニット２からの経路誘導案内に関わる表示データを受信したのであれば、この小型表示部４１Ｂに表示中のオーディオ系情報の代わりに、前記小型表示ユニット４Ｂの表示ドライバ４２Ｂを介して、この受信中の経路誘導案内に関わる表示データに基づいて経路誘導案内情報を割込み表示させる（ステップＳ４８）。
【００９２】
さらにナビゲーションユニット２から経路誘導案内を終了する情報データを受信したか否かを判定する（ステップＳ４９）。この経路誘導案内終了に関わる情報データを受信したのであれば、前記小型表示部４１Ｂに表示中の経路誘導案内情報の代わりにオーディオ系情報を表示させ（ステップＳ５０）、このメインユニット１Ｂの処理動作を終了する。つまり、経路誘導案内終了に関わる情報データを受信するまで小型表示部４１Ｂに経路誘導案内情報を表示させるものである。
【００９３】
従って、この第３の実施の形態における小型表示ユニット内蔵型メインユニット１Ｂを採用したオーディオ・ビジュアル・システムによれば、メインユニット１Ｂに接続中の大型表示ユニット３Ｂが表示不可能な状況、例えば大型表示ユニット３Ｂがオフ状態であっても、通常のオーディオ系情報を表示中の小型表示ユニット４Ｂの小型表示部４１Ｂを利用して、この表示中のオーディオ系情報の代わりに、自動的に経路誘導案内情報を割り込み表示させることができる。
【００９４】
なお、これら上記実施の形態では、大型表示ユニットがある場合について説明したが、本発明はこれに限らず、大型表示ユニットがなく、ナビゲーションユニット２を搭載した車両等においても、メインユニットであるオーディオユニットが内蔵する小型表示部を利用して、ナビゲーションユニット２から発生する経路誘導情報を上記と同様に表示させることができる。
【００９５】
【発明の効果】
本発明における請求項１記載の表示制御システムによれば、経路誘導案内情報を表示する大型表示部がなくても、ナビゲーションユニットからの経路誘導案内データに基づく経路誘導案内情報を、小型表示ユニットの小型表示部を利用して自動的に割り込み表示させることで、ユーザーは視覚を通じて経路誘導案内情報を認識することができる。
【００９６】
また、本発明における請求項１記載の表示制御システムによれば、大型表示ユニットが表示不可能な状況、例えば大型表示ユニットが電源オフ状態や、大型表示ユニットが収納状態であっても、表示可能な状況、例えば電源オン状況にある小型表示ユニットの小型表示部を利用して、自動的に経路誘導案内情報を割り込み表示させることで、ユーザーは視覚を通じて経路誘導案内情報を認識することができる。
【００９７】
本発明における請求項２記載の表示制御システムによれば、上記請求項１の効果に加えて、オーディオ／ビジュアル機器を利用して、メインユニットをオーディオ／ビジュアル機器で兼用できる。
【００９８】
本発明における請求項３記載の表示制御システムによれば、上記請求項１又は２記載の効果に加えて、メインユニットに内蔵した小型表示ユニットを利用して、経路誘導案内情報を割り込み表示することができる。
【００９９】
本発明における請求項４記載の表示制御システムによれば、大型表示ユニットが表示不可能な状況、例えば大型表示ユニットが電源オフ状態であっても、通常のオーディオ系情報を表示中の小型表示ユニットの小型表示部を利用して、この表示中のオーディオ系情報の代わりに、自動的に経路誘導案内情報を割り込み表示させることで、ユーザーは視覚を通じて経路誘導案内情報を認識することができる。
【０１００】
本発明における請求項５記載の表示制御システムによれば、大型表示ユニットが表示不可能な状況、例えば大型表示ユニットが収納状態であっても、通常のオーディオ系情報を表示中の小型表示ユニットの小型表示部を利用して、この表示中のオーディオ系情報の代わりに、自動的に経路誘導案内情報を割り込み表示させることで、ユーザーは視覚を通じて経路誘導案内情報を認識することができる。
【図面の簡単な説明】
【図１】本発明の表示制御システムにおける第１の実施の形態を示すオーディオ・ビジュアル・システムの概略構成を示す説明図である。
【図２】第１の実施の形態に示すオーディオ・ビジュアル・システム内部の概略構成を示すブロック図である。
【図３】第１の実施の形態に示すオーディオ・ビジュアル・システムにおけるメインユニット側の処理動作を示すフローチャートである。
【図４】第１の実施の形態に示すオーディオ・ビジュアル・システムにおいて小型表示部に割り込み表示させた状態を示す説明図である。
【図５】第１の実施の形態に示すオーディオ・ビジュアル・システムにおけるナビゲーションユニット側の処理動作を示すフローチャートである。
【図６】第２の実施の形態に示すオーディオ・ビジュアル・システムに関わる表示ユニット内蔵型メインユニットの概略構成を示す斜視図である。
【図７】第２の実施の形態に関わる表示ユニット内蔵型メインユニットの動作状態を示す説明図である。
【図８】第２の実施の形態に関わる表示ユニット内蔵型メインユニットの動作状態を示す説明図である。
【図９】第２の実施の形態に示すオーディオ・ビジュアルシステム内部の概略構成を示すブロック図である。
【図１０】第２の実施の形態に関わる表示ユニット内蔵型メインユニット側の処理動作を示すフローチャートである。
【図１１】第３の実施の形態に示すオーディオ・ビジュアル・システム内部の概略構成を示すブロック図である。
【図１２】第３実施の形態に関わる小型表示ユニット内蔵型メインユニット側の処理動作を示すフローチャートである。
【図１３】従来のオーディオ・ビジュアル・システムの概略構成を示す説明図である。
【図１４】従来のオーディオ・ビジュアル・システムの概略構成を示す説明図である。
【符号の説明】
１    メインユニット
１Ａ  表示ユニット内蔵型メインユニット
１Ｂ  小型表示ユニット内蔵型メインユニット
２    ナビゲーションユニット
３，３Ｂ  大型表示ユニット
４，４Ｂ  小型表示ユニット
５    通信ケーブル
１１，１１Ａ，１１Ｂ  ＣＰＵ（認識手段、制御手段）
１２，１２Ａ，１２Ｂ  メモリ（認識手段、制御手段）
１３  小型表示部
１４，１４Ａ，１４Ｂ  入出力インタフェース
１００  表示ユニット
１１０  大型表示ユニット
１１１  大型表示部
１２０  小型表示ユニット
１２１  小型表示部
【図１】
0003969616.tif 000002
【図２】
0003969616.tif 000003
【図３】
0003969616.tif 000004
【図４】
0003969616.tif 000005
【図５】
0003969616.tif 000006
【図６】
0003969616.tif 000007
【図７】
0003969616.tif 000008
【図８】
0003969616.tif 000009
【図９】
0003969616.tif 000010
【図１０】
0003969616.tif 000011
【図１１】
0003969616.tif 000012
【図１２】
0003969616.tif 000013
【図１３】
0003969616.tif 000014
【図１４】
0003969616.tif 000015